(57)【要約】【課題】本発明は、面発光パネルと天井等の室内空間を構成する壁部との間で統一感を与えることができる室内装飾用照明装置及びインテリア構造を提供する。【解決手段】面発光パネル４０と、化粧シート６０と、姿勢保持部材を有し、面発光パネル４０は、点灯時に発光する発光領域４５を含む発光面を有し、姿勢保持部材は、化粧シート６０を面状に広がった展開姿勢で保持可能であり、化粧シート６０は、展開姿勢において発光面と対向しており、面発光パネル４０は、消灯時において、展開姿勢の化粧シート６０によって隠されて室内空間側から実質的に視認不能となっており、化粧シート６０の室内空間側の面は、点灯時において、面発光パネル４０の発光領域４５が直接的に投影された発光投影領域８５が一部に形成される構成とする。【選択図】図１０
2019197658.tif 000002
【特許請求の範囲】
【請求項１】
室内空間を構成する壁部に取り付けられる室内装飾用照明装置であって、
面発光パネルと、化粧シートと、姿勢保持部材を有し、
前記面発光パネルは、点灯時に発光する発光領域を含む発光面を有し、
前記姿勢保持部材は、前記化粧シートを面状に広がった展開姿勢で保持可能であり、
前記化粧シートは、前記展開姿勢において前記発光面と対向しており、
前記面発光パネルは、消灯時において、前記展開姿勢の前記化粧シートによって隠されて前記室内空間側から実質的に視認不能となっており、
前記化粧シートの前記室内空間側の面は、点灯時において、前記面発光パネルの前記発光領域が直接的に投影された発光投影領域が一部に形成されることを特徴とする室内装飾用照明装置。
【請求項２】
少なくとも２つの面発光パネルを有し、
前記化粧シートは、前記展開姿勢において前記２つの面発光パネルの発光面に跨って広がっていることを特徴とする請求項１に記載の室内装飾用照明装置。
【請求項３】
複数の面発光パネルで構成される発光パネル群を少なくとも２つ有し、
前記２つの発光パネル群は、前記展開姿勢における前記化粧シートの広がり方向に間隔を空けて並べられており、
前記２つの発光パネル群の最も近接する発光領域の間隔は、一の発光パネル群に属して隣接する面発光パネルの発光領域の間隔よりも離れていることを特徴とする請求項２に記載の室内装飾用照明装置。
【請求項４】
前記化粧シートは、前記展開姿勢において、前記発光領域との間の平均距離が１０ｍｍ以上１００ｍｍ以下であることを特徴とする請求項１乃至３のいずれかに記載の室内装飾用照明装置。
【請求項５】
前記化粧シートは、前記展開姿勢において対向する２辺を有し、
前記姿勢保持部材は、第１保持部と、第２保持部を有し、
前記第１保持部は、前記対向する２辺のうち、一辺を保持可能であり、
前記第２保持部は、前記対向する２辺のうち、他辺を保持可能であることを特徴とする請求項１乃至４のいずれかに記載の室内装飾用照明装置。
【請求項６】
前記第１保持部は、前記化粧シートの一部又は全部を巻き取り可能な巻取装置であり、
前記第１保持部は、前記化粧シートの一部又は全部を巻き取って前記面発光パネルが前記室内空間に露出した状態に維持可能であることを特徴とする請求項５に記載の室内装飾用照明装置。
【請求項７】
前記第１保持部と前記第２保持部の間であって、かつ前記面発光パネルと前記化粧シートとの間には、空隙があり、
前記化粧シートの前記室内空間側の面は、点灯時において、前記第１保持部と前記第２保持部の間に、前記面発光パネルの前記発光領域からの散乱光が投影された散乱光投影領域が形成されていることを特徴とする請求項５又は６に記載の室内装飾用照明装置。
【請求項８】
複数種類の面発光パネルを備え、
前記複数種類の面発光パネルは、それぞれ点灯時における前記発光領域の発光状態又は発光形状が異なっており、
前記化粧シートは、前記展開姿勢において前記複数種類の面発光パネルの発光面に跨って広がっていることを特徴とする請求項１乃至７のいずれかに記載の室内装飾用照明装置。
【請求項９】
複数の面発光パネルを有し、
前記化粧シートは、前記展開姿勢において前記複数の面発光パネルの発光面に跨って広がっており、
各面発光パネルは、前記発光領域の輝度を個別に変更可能であることを特徴とする請求項１乃至８のいずれかに記載の室内装飾用照明装置。
【請求項１０】
前記発光領域は、点灯時に四角形状に発光するものであり、
前記発光領域の一辺又は当該一辺の延長線は、０度超過９０度未満の角度で前記化粧シートの縁と交差することを特徴とする請求項１乃至９のいずれかに記載の室内装飾用照明装置。
【請求項１１】
前記面発光パネルは、前記壁部に対してパネル側取付部材によって取り付けられるものであって、かつ前記パネル側取付部材に対して着脱可能であることを特徴とする請求項１乃至１０のいずれかに記載の室内装飾用照明装置。
【請求項１２】
請求項１乃至１１のいずれかに記載の室内装飾用照明装置を前記室内空間の天井面として使用することを特徴とするインテリア構造。
【発明の詳細な説明】
【技術分野】
【０００１】
本発明は、有機ＥＬパネルや、無機ＥＬパネル、ＬＥＤを面状に敷き詰めたＬＥＤパネル等の面発光パネルを備えた室内装飾用照明装置、及び当該室内装飾用照明装置を使用したインテリア構造に関する。
【背景技術】
【０００２】
従来から、天井等の壁部に複数枚の有機ＥＬパネルを敷き詰めた照明装置が知られている（例えば、特許文献１）。
特許文献１に記載の照明装置は、拡散光を照射する有機ＥＬパネルを室内照明として使用しているため、ＬＥＤ等を使用する場合に比べて柔らかい光を室内に照射可能であり、目に優しく、設置場所の制約も少ないという利点がある。
【先行技術文献】
【特許文献】
【０００３】
【特許文献１】特開２０１７−６２８７０号公報
【発明の概要】
【発明が解決しようとする課題】
【０００４】
しかしながら、特許文献１の照明装置は、天井から電源コードで有機ＥＬパネルを室内空間側に吊り下げているため、天井面と有機ＥＬパネルとの間で統一感に欠けるという問題があった。また、特許文献１の照明装置は、照明として機能しない消灯時においても天井面から吊り下げた状態となっているので、例えば、棚等の高位置から物を取る際に邪魔になるという問題もある。
【０００５】
そこで、本発明は、面発光パネルと天井等の室内空間を構成する壁部との間で統一感を与えることができる室内装飾用照明装置及びインテリア構造を提供することを課題とする。
【課題を解決するための手段】
【０００６】
上記した課題を解決するための請求項１に記載の発明は、室内空間を構成する壁部に取り付けられる室内装飾用照明装置であって、面発光パネルと、化粧シートと、姿勢保持部材を有し、前記面発光パネルは、点灯時に発光する発光領域を含む発光面を有し、前記姿勢保持部材は、前記化粧シートを面状に広がった展開姿勢で保持可能であり、前記化粧シートは、前記展開姿勢において前記発光面と対向しており、前記面発光パネルは、消灯時において、前記展開姿勢の前記化粧シートによって隠されて前記室内空間側から実質的に視認不能となっており、前記化粧シートの前記室内空間側の面は、点灯時において、前記面発光パネルの前記発光領域が直接的に投影された発光投影領域が一部に形成されることを特徴とする室内装飾用照明装置である。
【０００７】
ここでいう「壁部」とは、天井や壁、床面、窓等の固定構造物等の壁部に加えて、天井や壁、床面の骨組みをなす梁や桟、壁紙が貼られていない基材等の壁部を含む。
ここでいう「面発光パネルが実質的に視認不能」とは、面発光パネルの輪郭がぼやけ又は輪郭が見えず、通常の使用状態では視認できない状態をいう。
【０００８】
本発明の構成によれば、面発光パネルが消灯時に展開姿勢の化粧シートによって隠されて実質的に視認不能となっているので、消灯時に室内空間側からは、面発光パネルと化粧シートのうち化粧シートのみが視認される。そのため、面発光パネルが天井等の壁部から張り出した心証を与えることなく、天井等の壁部との間の統一感を持たすことができる。
また、本発明の構成によれば、点灯時に化粧シートの室内空間側の面に発光領域が投影された発光投影領域とそれ以外の他の領域に分かれ、発光投影領域と他の領域の間で明暗模様が生じる。そのため、点灯時に、化粧シートにおいて発光投影領域が他の領域から浮き上がったような心証を使用者に与えることができ、従来にはない意匠性に優れた照明装置となる。
【０００９】
請求項２に記載の発明は、少なくとも２つの面発光パネルを有し、前記化粧シートは、前記展開姿勢において前記２つの面発光パネルの発光面に跨って広がっていることを特徴とする請求項１に記載の室内装飾用照明装置である。
【００１０】
本発明の構成によれば、消灯時には化粧シートで各面発光パネルを隠しつつ、点灯時の発光投影領域の総面積を大きくできる。
【００１１】
請求項３に記載の発明は、複数の面発光パネルで構成される発光パネル群を少なくとも２つ有し、前記２つの発光パネル群は、前記展開姿勢における前記化粧シートの広がり方向に間隔を空けて並べられており、前記２つの発光パネル群の最も近接する発光領域の間隔は、一の発光パネル群に属して隣接する面発光パネルの発光領域の間隔よりも離れていることを特徴とする請求項２に記載の室内装飾用照明装置である。
【００１２】
本発明の構成によれば、発光パネル群間の間隔によって各発光パネル群の発光投影領域間を離すことができ、点灯時における発光投影領域とそれ以外の他の領域との間の明暗差をより大きくできる。
【００１３】
請求項４に記載の発明は、前記化粧シートは、前記展開姿勢において、前記発光領域との間の平均距離が１０ｍｍ以上１００ｍｍ以下であることを特徴とする請求項１乃至３のいずれかに記載の室内装飾用照明装置である。
【００１４】
本発明の構成によれば、点灯時に面発光パネルの発光領域の輪郭が発光投影領域に適度に反映され、発光領域によって形成された模様が発光投影領域に反映されやすい。
【００１５】
請求項５に記載の発明は、前記化粧シートは、前記展開姿勢において対向する２辺を有し、前記姿勢保持部材は、第１保持部と、第２保持部を有し、前記第１保持部は、前記対向する２辺のうち、一辺を保持可能であり、前記第２保持部は、前記対向する２辺のうち、他辺を保持可能であることを特徴とする請求項１乃至４のいずれかに記載の室内装飾用照明装置である。
【００１６】
本発明の構成によれば、化粧シートの両端を保持するので、化粧シートが撓まず張った状態で展開姿勢を保持できる。
【００１７】
請求項６に記載の発明は、前記第１保持部は、前記化粧シートの一部又は全部を巻き取り可能な巻取装置であり、前記第１保持部は、前記化粧シートの一部又は全部を巻き取って前記面発光パネルが前記室内空間に露出した状態に維持可能であることを特徴とする請求項５に記載の室内装飾用照明装置である。
【００１８】
本発明の構成によれば、化粧シートを巻き取ることによって面発光パネルの一部又は全部を室内空間に露出させることができるので、面発光パネルの交換や化粧シートの交換が容易である。また、化粧シートを巻き取ることで面発光パネルのレイアウトの変更も容易となり、模様可変性を向上できる。
【００１９】
請求項７に記載の発明は、前記第１保持部と前記第２保持部の間であって、かつ前記面発光パネルと前記化粧シートとの間には、空隙があり、前記化粧シートの前記室内空間側の面は、点灯時において、前記第１保持部と前記第２保持部の間に、前記面発光パネルの前記発光領域からの散乱光が投影された散乱光投影領域が形成されていることを特徴とする請求項５又は６に記載の室内装飾用照明装置である。
【００２０】
本発明の構成によれば、第１保持部と第２保持部の間に散乱光投影領域が形成されているので、室内空間を照らしつつ、発光投影領域と散乱光投影領域との間の明暗によるコントラストで所望の模様を表現できる。
【００２１】
請求項８に記載の発明は、複数種類の面発光パネルを備え、前記複数種類の面発光パネルは、それぞれ点灯時における前記発光領域の発光状態又は発光形状が異なっており、前記化粧シートは、前記展開姿勢において前記複数種類の面発光パネルの発光面に跨って広がっていることを特徴とする請求項１乃至７のいずれかに記載の室内装飾用照明装置である。
【００２２】
本発明の構成によれば、点灯時における発光領域の発光状態又は発光形状を利用し、多種多様な模様を表現でき、模様多様性を向上できる。
【００２３】
請求項９に記載の発明は、複数の面発光パネルを有し、前記化粧シートは、前記展開姿勢において前記複数の面発光パネルの発光面に跨って広がっており、各面発光パネルは、前記発光領域の輝度を個別に変更可能であることを特徴とする請求項１乃至８のいずれかに記載の室内装飾用照明装置である。
【００２４】
本発明の構成によれば、各発光領域の輝度を変更することによって多種多様な模様を再現でき、模様多様性を向上できる。
【００２５】
請求項１０に記載の発明は、前記発光領域は、点灯時に四角形状に発光するものであり、前記発光領域の一辺又は当該一辺の延長線は、０度超過９０度未満の角度で前記化粧シートの縁と交差することを特徴とする請求項１乃至９のいずれかに記載の室内装飾用照明装置である。
【００２６】
本発明の構成によれば、より外観の優れた照明装置となる。
【００２７】
請求項１１に記載の発明は、前記面発光パネルは、前記壁部に対してパネル側取付部材によって取り付けられるものであって、かつ前記パネル側取付部材に対して着脱可能であることを特徴とする請求項１乃至１０のいずれかに記載の室内装飾用照明装置である。
【００２８】
本発明の構成によれば、壁部にパネル側取付部材が取り付けられた状態で面発光パネルの交換が可能であり、メンテナンス作業が容易である。
【００２９】
請求項１２に記載の発明は、請求項１乃至１１のいずれかに記載の室内装飾用照明装置を前記室内空間の天井面として使用することを特徴とするインテリア構造である。
【００３０】
本発明の構成によれば、室内装飾用照明装置を天井面として使用するのですっきりとした天井面を形成できる。
【発明の効果】
【００３１】
本発明の照明装置及びインテリア構造によれば、消灯時に面発光パネルが化粧シートに隠されて実質的に視認不能となるため、面発光パネルと天井等の壁部との間で統一感を与えることができる。
【図面の簡単な説明】
【００３２】
【図１】本発明の第１実施形態のインテリア構造を模式的に示した斜視図である。
【図２】図１のインテリア構造の上方側からみた断面斜視図である。
【図３】図１の照明装置の室内空間側からみた分解斜視図である。
【図４】図１の照明装置の断面図である。
【図５】図１の照明装置の正面図であり、（ａ）は照明装置全体の正面図であり、（ｂ）は一枚の面発光パネルの正面図である。
【図６】図３の面発光モジュールの分解斜視図である。
【図７】図６の面発光パネルの斜視図であり、図６とは別の方向からみた図である。
【図８】図１の照明装置の化粧シートの各姿勢の説明図であり、（ａ）は化粧シートを展開した展開姿勢の斜視図であり、（ｂ）は化粧シートを巻取装置で巻き取った巻取姿勢の斜視図である。
【図９】図１の照明装置において面発光パネルの交換時の説明図であり、（ａ）は交換対象の面発光パネルをパネル側取付部材から取り外す際の斜視図であり、（ｂ）は新品の面発光パネルをパネル側取付部材に取りつける際の斜視図である。
【図１０】図１の照明装置の説明図であり、（ａ）は消灯時における正面図であり、（ｂ）は点灯時における正面図である。
【図１１】本発明の第２実施形態の照明装置を模式的に示した分解斜視図である。
【図１２】図１の照明装置の化粧シートの各姿勢の説明図であり、（ａ）は化粧シートを展開した展開姿勢の斜視図であり、（ｂ）は化粧シートを片側に寄せた状態の斜視図である。
【図１３】本発明の他の実施形態の照明装置の斜視図であり、（ａ）は化粧シートを展開した状態を示し、（ｂ）は化粧シートを巻取姿勢にした状態を示す。
【図１４】本発明の他の実施形態の照明装置の点灯時における説明図であり、（ａ）は照明装置全体の正面図であり、（ｂ）は一つの発光領域に注目した正面図である。
【図１５】本発明の他の実施形態の照明装置の説明図であり、（ａ）はスナップボタンで化粧シートを固定する場合の説明図であり、（ｂ）はボタンとボタンホールで化粧シートを固定する場合の説明図である。
【発明を実施するための形態】
【００３３】
以下、本発明の実施形態について詳細に説明する。
【００３４】
本発明の第１実施形態のインテリア構造１は、図１のように、室内空間２を構成する天井面１００の大部分又は全部に室内装飾用照明装置１０（以下、単に照明装置１０ともいう）が取り付けられたものであり、図２のように室内空間２内に照明装置１０と、収納棚１１と、ピクチャーレール１２を備えている。
また、照明装置１０は、図３のように、取付部材２０と、複数のモジュール群２１（発光パネル群）と、化粧ユニット２２を有している。
そして、本実施形態のインテリア構造１は、図１０（ａ）のように、照明装置１０の消灯時に、モジュール群２１の各面発光パネル４０が化粧ユニット２２の化粧シート６０によって隠されて室内空間２側から視認不能となり、図１０（ｂ）のように、照明装置１０の点灯時にモジュール群２１の各面発光パネル４０の発光領域４５が化粧シート６０の室内空間２側の面に投影され、発光投影領域８５が形成されることを特徴の一つとしている。
このことを踏まえながら、以下、照明装置１０の構造について詳細に説明する。
【００３５】
取付部材２０は、図２のように、天井面１００にモジュール群２１及び化粧ユニット２２を取り付ける部材であり、ベース部３０と、間隔調整部３１ａ，３１ｂと、幕板３２ａ，３２ｂを備えている。
ベース部３０は、図３のように、面状に広がりをもった板状又はシート状の部材であり、天井面１００に対して面接触して取り付けられる部位である。
間隔調整部３１ａ，３１ｂは、化粧ユニット２２が面状に広がった展開姿勢としたときに、面発光パネル４０の発光面４３と化粧ユニット２２の化粧シート６０との間隔を調整するスペーサーであり、所定の方向に延びた長板状の部材である。
幕板３２ａ，３２ｂは、ベース部３０や姿勢保持ユニット６１の反りを抑制する反り抑制板材であり、所定の方向に延びた長板である。
【００３６】
モジュール群２１は、図５のように、複数の面発光モジュール３５で構成されており、全体として所定の模様を形成する部材である。
面発光モジュール３５は、図６のように、面発光パネル４０と、パネル側取付部材４１を備えており、面発光パネル４０がパネル側取付部材４１に対して着脱可能となっている。
面発光パネル４０は、面状に広がりをもった板状パネルであり、発光領域４５から面状の拡散光が照射される面状光源である。本実施形態の面発光パネル４０は、点灯時に発光領域４５の輝度を変更可能となっている。
面発光パネル４０は、具体的には、四角形状の有機ＥＬパネルであり、一方の主面が発光面４３を構成するものである。
【００３７】
発光面４３は、図５（ｂ）のように、点灯時に発光する発光領域４５と発光しない非発光領域４６から構成されている。
本実施形態の非発光領域４６は、発光素子が内蔵され発光領域４５をもつ発光タイルの端面を保護するフレームによって構成されている。
面発光パネル４０は、図７のように、他方の主面の中央に、他の部分に対して隆起した隆起部４７を備えており、隆起部４７から発光面４３の広がり方向（面方向）の外側に向かって張り出したパネル側係合部４８，４９を備えている。
パネル側係合部４８，４９は、面方向において、互いに離反する方向に延びた係合片である。
【００３８】
パネル側取付部材４１は、図６のように、面発光パネル４０をベース部３０に取り付ける部材である。
パネル側取付部材４１は、中央に開口又は窪みを有した本体板部５０と、本体板部５０から開口又は窪みの中央側に段差をもって張り出した取付側係合部５１，５２を備えている。
取付側係合部５１，５２は、互いに近接する方向に延びた係合片であり、面発光パネル４０をパネル側取付部材４１に取り付けた際に、面発光パネル４０のパネル側係合部４８，４９と面発光パネル４０の厚み方向に係合し、係止する係止片である。
【００３９】
化粧ユニット２２は、図３のように、化粧シート６０と、姿勢保持ユニット６１（姿勢保持部材）を備えている。
化粧シート６０は、展開姿勢とすることで、天井面１００の一部又は全部を覆い、天井面１００の代わりに疑似的な天井面を構成する無地の壁紙シートである。
化粧シート６０は、光散乱性シートであって、光を透過する光透過性シートでもある。本実施形態の化粧シート６０は、光を透過する布状の透過クロスである。
化粧シート６０は、展開姿勢において帯状に延びた四角形状のシートであり、延び方向において対向する２辺６３，６４を備えている。
対向する２辺のうち一方の辺６４付近には、固定装置６６の固定側保持部８１と係合可能なシート側保持部６２が設けられている。
シート側保持部６２は、フックであり、化粧シート６０に対して直立し、軸部と軸部よりも径が大きい頭部を備えた棒状部材である。
【００４０】
姿勢保持ユニット６１は、図２のように、化粧シート６０が面状に広がった展開姿勢で維持する部材であり、巻取装置６５（第１保持部）と、固定装置６６（第２保持部）で構成されている。
巻取装置６５は、化粧シート６０の一辺６３を保持する保持部であり、化粧シート６０の一辺６３に沿って延びた長尺状の部材である。
巻取装置６５は、化粧シート６０の一部又は全部を巻取可能となっている。
巻取装置６５は、具体的には、プルコード式の巻取装置であり、図２のように、筐体７０内に巻取軸７１と図示しない付勢部材及びストッパーを備えており、筐体７０の開口７２を介して、巻取軸７１への化粧シート６０の巻き取り及び巻取軸７１からの引き出しが可能となっている。すなわち、巻取装置６５は、化粧シート６０を筐体７０の開口７２から一定量引き出すと、ストッパーにより化粧シート６０にロックがかかり、巻取軸７１への巻き取りが規制されて化粧シート６０が引き出された状態を維持し、化粧シート６０をさらに引き出すことで、ストッパーのロックが解除され、引き出された化粧シート６０を付勢部材の付勢力によって巻取軸７１に巻き取って巻取姿勢に変更することが可能となっている。
【００４１】
固定装置６６は、化粧シート６０の巻取装置６５に保持される一辺６３に対向する対辺６４を保持する保持部であり、化粧シート６０の対辺６４に沿って延びた長尺状の部材である。
固定装置６６は、図３のように、筐体部８０と、固定側保持部８１を備えている。
固定側保持部８１は、化粧シート６０のシート側保持部６２と係合することで化粧シート６０の対辺６４を保持する部位である。
固定側保持部８１は、具体的には、保持穴であり、化粧シート６０のシート側保持部６２を引っかけることによって、展開姿勢に維持することが可能となっている。
【００４２】
ここで、照明装置１０の各部材の位置関係について説明する。なお、説明を都合上、図８（ａ）のように、化粧シート６０が巻取装置６５から引き出され、展開した展開姿勢にした状態について説明する。
【００４３】
照明装置１０は、図３のように、取付部材２０のベース部３０上に９つのモジュール群２１が縦横碁盤状に並べられており、各モジュール群２１の間に隙間８２が形成されている。すなわち、照明装置１０は、横方向Ｘに延びた横方向隙間８２ａと縦方向Ｙに延びた縦方向隙間８２ｂが形成されており、これらの隙間８２ａ，８２ｂが複数箇所で交差している。
横方向隙間８２ａは、横方向Ｘに隣接するモジュール群２１，２１の間に形成される隙間であり、縦方向隙間８２ｂは、縦方向Ｙに隣接するモジュール群２１，２１の間に形成される隙間である。
【００４４】
モジュール群２１は、図３のように、４枚の面発光モジュール３５（３５ａ〜３５ｄ）が縦横碁盤状に実質的に隙間なく並べられており、面発光モジュール３５ａ〜３５ｄの非発光領域４６をなすフレームにより「＋」字状の非発光部分が形成されている。
隣接するモジュール群２１，２１の最も近接する発光領域４５，４５の間隔は、一つのモジュール群２１に属し隣接する面発光パネル４０，４０の発光領域４５，４５の間隔よりも大きい。
【００４５】
取付部材２０は、図４のように、天井面１００側から順にベース部３０、間隔調整部３１ａ，３１ｂ、及び幕板３２ａ，３２ｂが積層されている。すなわち、ベース部３０と幕板３２ａ，３２ｂとの間には、間隔調整部３１ａ，３１ｂが介在している。そのため、面発光パネル４０の発光面４３の発光領域４５と化粧シート６０の間隔Ｄを任意の間隔に調整可能となっている。
巻取装置６５及び固定装置６６は、図３のように、面発光パネル４０を正面視したときに、モジュール群２１を挟んで横方向Ｘに対向する位置に配されている。また、巻取装置６５及び固定装置６６は、同一方向Ｙに延びており、互いに平行となっている。
巻取装置６５は、巻取軸７１によって化粧シート６０の一辺６３を保持しており、固定装置６６は、固定側保持部８１によって化粧シート６０の他辺６４を保持している。
【００４６】
化粧シート６０は、正面視したときに各モジュール群２１の面発光モジュール３５の発光面４３と重なっている。すなわち、化粧シート６０は、横方向Ｘ及び縦方向Ｙにおいて隣接するモジュール群２１，２１間の隙間８２ａ，８２ｂを超え、各発光面４３に跨って延びている。
【００４７】
化粧シート６０の室内空間２と反対側の面と面発光パネル４０の発光面４３との間には、図２のように空隙６７があり、空隙６７は、巻取装置６５と固定装置６６の間で広がっている。すなわち、空隙６７は、化粧シート６０と面発光パネル４０の間の空間であって、かつ巻取装置６５と固定装置６６の間の空間であり、発光領域４５から放射される光が散乱する光散乱空間である。
【００４８】
図４に示される化粧シート６０の室内空間２と反対側の面と一の面発光パネル４０の発光面４３の発光領域４５との平均距離Ｄは、１０ｍｍ以上１００ｍｍ以下であることが好ましい。
この範囲であれば、点灯時に面発光パネル４０の発光領域４５の輪郭が発光投影領域８５に適度に反映され、発光領域４５によって形成された模様が発光投影領域８５に反映されやすい。また、照明装置１０全体が厚くなりすぎず、薄いという面発光パネル４０の特徴を損なわれにくい。
【００４９】
一つの面発光モジュール３５に注目すると、面発光パネル４０は、図６，図７から読み取れるように、隆起部４７がパネル側取付部材４１の本体板部５０に設けられた開口又は窪みに挿入され、パネル側係合部４８，４９がパネル側取付部材４１の取付側係合部５１，５２と係合している。すなわち、面発光パネル４０は、パネル側取付部材４１の取付側係合部５１，５２によって係止され、パネル側取付部材４１からの脱落が防止されている。面発光パネル４０の発光面４３の発光領域４５は、図４のように、化粧シート６０と対面し、互いに平行となっている。
【００５０】
続いて、インテリア構造１の各部材の位置関係について説明する。なお、説明を都合上、上記と同様、化粧シート６０が巻取装置６５から引き出され、展開姿勢にした状態について説明する。
【００５１】
インテリア構造１は、図１，図２のように、照明装置１０が天井面１００に取り付けられている。収納棚１１とピクチャーレール１２は、室内空間２側から面発光パネル４０を正面視したときに、天面がそれぞれ巻取装置６５と固定装置６６と重なる位置に配されている。すなわち、巻取装置６５と固定装置６６は、図１のように収納棚１１とピクチャーレール１２によって隠されており、収納棚１１とピクチャーレール１２は、巻取装置６５と固定装置６６を室内空間２側から隠す隠し部材として機能する。
【００５２】
続いて、面発光パネル４０Ａを新たな面発光パネル４０Ｂに交換する際の交換手順について説明する。
【００５３】
まず、化粧シート６０のシート側保持部６２を固定装置６６の固定側保持部８１から外し、シート側保持部６２と固定側保持部８１の係合を解除する。
このとき、化粧シート６０は、巻取装置６５によって片持ち状に支持される。
【００５４】
次に、巻取装置６５の開口７２から延びた化粧シート６０を巻取装置６５からさらに引き出し、巻取装置６５の巻取力によって化粧シート６０を巻取軸７１で巻き取り、図８（ｂ）のように化粧シート６０を巻取姿勢に変更することで、交換対象の面発光パネル４０を室内空間２に露出させる。
このとき、化粧シート６０は、大部分が巻取軸７１で巻き取られ、筐体７０の内部に収納される。
【００５５】
図９（ａ）のように交換対象の面発光パネル４０Ａをパネル側取付部材４１に対して所定の方向にスライド移動させてパネル側係合部４８，４９と取付側係合部５１，５２の係合を解除し、パネル側取付部材４１から交換対象の面発光パネル４０Ａを取り外す。
このとき、面発光パネル４０Ａの隆起部４７は、本体板部５０の開口又は窪みに嵌まった状態で取付側係合部５１，５２によって挟まれている。そのため、面発光パネル４０Ａは、取付側係合部５１，５２によって移動が一方向に規制されている。
【００５６】
面発光パネル４０Ａが外され、図９（ｂ）のように、室内空間２に露出したパネル側取付部材４１に対して、新品の面発光パネル４０Ｂの隆起部４７をパネル側取付部材４１の本体板部５０に設けられた開口又は窪みに挿入し、新品の面発光パネル４０Ｂを前記所定の方向とは逆方向にスライド移動させてパネル側係合部４８，４９をパネル側取付部材４１の取付側係合部５１，５２に係合させる。
【００５７】
そして、巻取装置６５の開口７２から化粧シート６０を引き出し、化粧シート６０のシート側保持部６２を固定側保持部８１に係合させて照明装置１０を図８（ａ）のように展開姿勢にする。
【００５８】
続いて、消灯時及び点灯時の照明装置１０の各状態について説明する。
【００５９】
照明装置１０の消灯時では、図１０（ａ）のように、各面発光パネル４０が化粧シート６０に隠されて実質的に視認できない状態となっており、姿勢保持ユニット６１の一部と化粧シート６０のみが視認可能な状態となっている。
一方、照明装置１０の点灯時では、図１０（ｂ）のように、各面発光パネル４０の発光領域４５から放射された光が化粧シート６０を透過し、面発光パネル４０を正面視したときに、各面発光パネル４０の発光領域４５の直接の投影部分だけではなく、化粧シート６０と巻取装置６５と固定装置６６の間の領域全体が発光する。
具体的には、照明装置１０は、点灯時において、巻取装置６５と固定装置６６の間に、発光投影領域８５と、散乱光投影領域８６が形成される。
発光投影領域８５は、各面発光パネル４０の発光領域４５が化粧シート６０の室内空間２側の面に直接的に投影された発光する明領域である。すなわち、発光投影領域８５は、発光領域４５と相似形状をしており、本実施形態では四角形状をしている。
散乱光投影領域８６は、発光投影領域８５以外の領域であって、各面発光パネル４０の発光領域４５から放射される光が散乱して散乱光となり当該散乱光が化粧シート６０の室内空間２側の面に間接的に投影された発光する領域であり、発光投影領域８５に比べて暗い暗領域である。
すなわち、散乱光投影領域８６は、各面発光パネル４０の発光領域４５から放射された光が空隙６７で乱反射し、拡散されて化粧シート６０を透過した領域である。散乱光投影領域８６は、発光投影領域８５の周囲に設けられており、発光投影領域８５の間に縫うように設けられている。散乱光投影領域８６には、面発光パネル４０の非発光領域４６に対応する領域と、モジュール群２１間の隙間８２に対応する領域が存在している。
【００６０】
本実施形態のインテリア構造１によれば、照明装置１０が疑似的な天井面を構成し、消灯時に、無地の化粧シート６０によって面発光パネル４０が隠されて実質的に視認不能となっているので、一体感があり、スッキリした印象の全面無地の天井面として観察され、あたかも通常の天井面のような心証を使用者に与えることができる。また、例えば、化粧シート６０を室内空間２の壁紙等と一致させることで室内空間全体に統一感を持たせることができる。
【００６１】
本実施形態のインテリア構造１によれば、点灯時に化粧シート６０に発光投影領域８５と、散乱光投影領域８６が形成され、発光投影領域８５と散乱光投影領域８６の間で明暗模様が現れるので、天井面としてアクセントとなり、従来にない意匠性に優れた照明装置となる。
【００６２】
本実施形態のインテリア構造１によれば、ベース部３０に複数のモジュール群２１が敷設され、これらが鉛直方向（天地方向、上下方向）に間隔を空けて化粧シート６０で覆われるので、各面発光パネルの発光領域４５からの光は、化粧シート６０に至るまで拡散されて化粧シート６０を透過し、化粧シート６０の大部分が室内空間２側に光を放射する光放射面となる。そのため、点灯時に室内空間２の広い範囲を照らすことができる。
【００６３】
本実施形態の照明装置１０によれば、面発光パネル４０として有機ＥＬパネルを使用しているため、薄くて軽く、また、面発光パネル４０の室内空間２側を化粧シート６０で覆っているため、仮にパネル側取付部材４１から面発光パネル４０が脱落したとしても化粧シート６０によって面発光パネル４０の床への落下を防止でき、安全性に優れている。また、影ができにくく、柔らかい光を室内空間２に放射可能である。
【００６４】
本実施形態の照明装置１０によれば、各面発光パネル４０が発光領域４５の輝度を個別に変更が可能であるため、多種多様の明暗模様を形成できる。例えば、モジュール群２１間や一つのモジュール群２１に属する面発光パネル４０間で発光領域４５の輝度に差を持たせることによって発光投影領域８５内でも明暗を持たせることができる。
【００６５】
本実施形態の照明装置１０によれば、化粧シート６０は、点灯時に巻取装置６５と固定装置６６の間の領域全体が発光し、発光投影領域８５と散乱光投影領域８６が形成されるので、室内空間２を照らす発光面積を大きくできる。
【００６６】
続いて、第２実施形態のインテリア構造について説明する。なお、第１実施形態のインテリア構造１と同様の構成は、同様の付番をして説明を省略する。以下、同様とする。
【００６７】
第２実施形態のインテリア構造の照明装置２１０は、図１１のように、取付部材２０と、複数のモジュール群２１と、化粧ユニット２２２を有している。
化粧ユニット２２２は、対向する２辺６３，６４をもった化粧シート６０を備えている。
化粧シート６０は、一辺６３近傍に第１係合部２６２が設けられており、他辺６４近傍に第２係合部２６３が設けられている。
【００６８】
姿勢保持ユニット２６１は、第１レール部材２６５と、第２レール部材２６６で構成されている。
レール部材２６５，２６６は、Ｃ型レールであって、筐体２７１，２７２と、筐体２７１，２７２に設けられ長手方向に延びたスリット状の規制溝２６７，２６８を備えている。また、レール部材２６５，２６６は、規制溝２６７，２６８の側壁を構成するレール側係合部（図示しない）を備えている。
【００６９】
続いて、インテリア構造１の各部材の位置関係について説明する。なお、説明を都合上、図１２（ａ）のように化粧シート６０がレール部材２６５，２６６によって広げられた展開姿勢にした状態について説明する。
【００７０】
レール部材２６５，２６６は、図１１のように、面発光パネル４０を正面視したときに、横方向Ｘにおいてモジュール群２１を挟んで対向する位置に配されている。また、レール部材２６５，２６６は、同一方向Ｙに延びており、互いに平行となっている。
レール部材２６５，２６６は、規制溝２６７，２６８が共に下方を向いて開口しており、筐体２７１，２７２の天面が取付部材２０に取り付けられている。
レール部材２６５，２６６内には、規制溝２６７，２６８の開口から化粧シート６０の両端に設けられた係合部２６２，２６３が進入しており、図示しないレール側係合部と係合部２６２，２６３がそれぞれ係合している。すなわち、化粧シート６０は、レール部材２６５，２６６によって係止され、落下が防止されている。
化粧シート６０は、図示しない規制部がレール部材２６５，２６６と係合し、規制溝２６７，２６８に沿った移動が規制されている。そのため、化粧シート６０は、レール部材２６５，２６６によって展開した状態で維持されている。
【００７１】
続いて、面発光パネル４０Ａを新たな面発光パネル４０Ｂに交換する際の交換手順について説明する。
【００７２】
化粧シート６０の図示しない規制部とレール部材２６５，２６６との係合を解除し、図１２（ｂ）のように、化粧シート６０の係合部２６２，２６３をレール部材２６５，２６６の規制溝２６７，２６８に沿って移動させる。そうすると、化粧シート６０がレール部材２６５，２６６の長手方向の片側に寄せられ、交換対象の面発光パネル４０が室内空間２に露出される。
【００７３】
続いて、交換対象の面発光パネル４０Ａを所定の方向にスライド移動させてパネル側取付部材４１から面発光パネル４０Ａを取り外す。そして、新品の面発光パネル４０の隆起部４７をパネル側取付部材４１の開口又は窪みに挿入し、新品の面発光パネル４０を前記所定の方向とは逆方向にスライド移動させてパネル側係合部４８，４９をパネル側取付部材４１の取付側係合部５１，５２に係合させる。
【００７４】
最後に化粧シート６０をレール部材２６５，２６６の規制溝２６７，２６８に沿ってスライド移動させ、図示しない規制部をレール部材２６５，２６６に係合させて固定し、図１２（ａ）のように展開姿勢にする。
【００７５】
第２実施形態のインテリア構造によれば、化粧シート６０をレール部材２６５，２６６の延び方向にスライド移動させるだけで面発光パネル４０を露出させることができるので、交換作業が容易である。
【００７６】
上記した実施形態では、ベース部３０と姿勢保持ユニット６１の間に間隔調整部３１ａ，３１ｂ及び幕板３２ａ，３２ｂを介在させていたが、本発明はこれに限定されるものではない。ベース部３０と姿勢保持ユニット６１の間に間隔調整部３１ａ，３１ｂ及び／又は幕板３２ａ，３２ｂを介在させなくてもよい。
【００７７】
上記した実施形態では、化粧ユニット２２は、取付部材２０を介して天井面１００に取り付けられていたが、本発明はこれに限定されるものではない。天井面１００に直接化粧ユニットを取り付けてもよい。
【００７８】
上記した実施形態では、各面発光パネル４０は、同一種類の面発光パネルであったが、本発明は、これに限定されるものではない。各面発光パネルは、複数種類の面発光パネルであってもよい。例えば、輝度や色温度などの発光領域４５の発光状態が異なる面発光パネルや発光領域４５の発光形状が異なる面発光パネルを混在させてもよい。
【００７９】
上記した実施形態では、天井面１００に照明装置１０，２１０を取り付けた場合について説明したが、本発明はこれに限定されるものではない。床面や壁等の壁紙等が貼られた壁部に照明装置１０，２１０を取り付けてもよい。例えば、図１３のように天窓３０５付近に設けてもよい。この場合、図１３のように面発光パネル４０を吊り下げ式のパネル側取付部材で固定し、天窓３０５を塞ぐように化粧シート６０を設けてもよい。
また、天井や壁、床などの骨組みをなす梁や桟、壁紙が貼られていない基材等の壁部に固定してもよい。
【００８０】
上記した実施形態では、無地の化粧シート６０を使用した場合について説明したが、本発明はこれに限定されるものではない。化粧シート６０は、片面又は両面に所定の模様が施されていてもよい。
【００８１】
上記した実施形態では、四角形状の面発光パネルを使用していたが、本発明はこれに限定されるものではない。面発光パネルの形状は限定されない。例えば、三角形状や五角形、六角形状などの多角形状であってもよいし、円形状や楕円形状、オーバル状などの円弧成分を含んだ形状であってもよい。
【００８２】
上記した実施形態では、面発光パネル４０は四角形状であって各辺が化粧シート６０の辺と平行又は直交していたが、本発明はこれに限定されるものではない。各面発光パネル４０は、図１４（ａ）のように正面視したときに化粧シート６０の横方向Ｘに延びる横辺３１０に対して所定の角度θで傾くように設けてもよい。すなわち、面発光パネルの一辺又は一辺の延長線が図１４（ｂ）のように化粧シート６０の横辺３１０に対して０度超過９０度未満の角度θで化粧シートの縁（辺）に対して交差するように設けてもよい。
【００８３】
上記した実施形態では、化粧シートを展開姿勢にし、長手方向に対向する二辺を姿勢保持ユニットで固定したが、本発明はこれに限定されるものではない。短手方向に対向する２辺を姿勢保持ユニットで固定してもよいし、３辺以上を姿勢保持ユニットで固定してもよい。例えば、化粧シートが四角形の場合、四辺全てを姿勢保持ユニットで固定してもよい。
【００８４】
上記した実施形態では、一つの化粧シートで各面発光パネルを覆っていたが、本発明はこれに限定されるものではない。複数の化粧シートで各面発光パネルを覆ってもよい。
【００８５】
上記した実施形態では、面発光パネルとして有機ＥＬパネルを採用した場合について説明したが、本発明はこれに限定されるものではない。面発光パネルとして無機ＥＬパネルやＬＥＤを面状に敷き詰めたＬＥＤパネルを使用してもよい。
【００８６】
上記した第２実施形態では、化粧シート６０に設けられた係合部２６２，２６３と、姿勢保持ユニット２６１のレール部材２６５，２６６との係合により、化粧シート６０が天井面１００に対して固定されていたが、本発明はこれに限定されるものではない。化粧シート６０は、図１５（ａ）のようにスナップボタンやファスナー、面ファスナーで天井面１００に固定されていてもよい。また、化粧シート６０は、図１５（ｂ）のようにボタンとボタンホールで天井面１００に固定されていてもよい。
【００８７】
上記した第２実施形態では、化粧シート６０は、姿勢保持ユニット２６１に対して着脱可能に保持され、天井面１００に対して取り外し可能であったが、本発明はこれに限定されるものではない。化粧シート６０は、面発光パネル４０の交換時に室内空間２側に露出できればよく、一辺が天井面１００に対して他の部材又は直接不可分一体に固定されていてもよい。
【符号の説明】
【００８８】
１  インテリア構造
２  室内空間
１０，２１０  室内装飾用照明装置
２０  取付部材
２１  モジュール群（発光パネル群）
２２，２２２  化粧ユニット
３５，３５ａ〜３５ｄ  面発光モジュール
４０  面発光パネル
４１  パネル側取付部材
４３  発光面
４５  発光領域
４６  非発光領域
４８，４９  パネル側係合部
５１，５２  取付側係合部
６０  化粧シート
６１，２６１  姿勢保持ユニット（姿勢保持部材）
６２  シート側保持部
６３  一辺
６４  対辺
６５  巻取装置（第１保持部）
６６  固定装置（第２保持部）
８１  固定側保持部
８２，８２ａ，８２ｂ  隙間
８５  発光投影領域
８６  散乱光投影領域
１００  天井面（壁部）
２６２  第１係合部
２６３  第２係合部
２６５  第１レール部材
２６６  第２レール部材
【図１】
2019197658.tif 000003
【図２】
2019197658.tif 000004
【図３】
2019197658.tif 000005
【図４】
2019197658.tif 000006
【図５】
2019197658.tif 000007
【図６】
2019197658.tif 000008
【図７】
2019197658.tif 000009
【図８】
2019197658.tif 000010
【図９】
2019197658.tif 000011
【図１０】
2019197658.tif 000012
【図１１】
2019197658.tif 000013
【図１２】
2019197658.tif 000014
【図１３】
2019197658.tif 000015
【図１４】
2019197658.tif 000016
【図１５】
2019197658.tif 000017